(57)【特許請求の範囲】
【請求項１】
空気調和機に含まれる室内機と室外機とのうちの一方に搭載されるメンテナンス用の空気調和機用基板であって、
複数の機種の空気調和機の各々を制御するためのデータを記憶するメモリと、
前記複数の機種のうちのいずれか１機種の空気調和機を制御するためのデータを前記メモリから取得する取得部と、
前記取得部によって取得されたデータをもとに前記メンテナンス用の空気調和機用基板が搭載される前記室内機又は前記室外機の運転を制御する制御部と、
通信回路とを備え、
前記メンテナンス用の空気調和機用基板は、前記室外機に搭載されるメンテナンス用の室外機用の空気調和機用基板であって、
前記室内機には、前記いずれか１機種を特定する室内バーコードが付けられており、
前記室外機には、前記いずれか１機種を特定する室外バーコードが付けられており、
前記室内機は、赤外線を受光する赤外線受光回路を有し、
前記赤外線受光回路が、前記室内バーコードを読み取って前記室内バーコードが特定する前記いずれか１機種を示す情報を含む赤外線を送信する携帯電話機からの赤外線を受光し、前記室内機において、前記赤外線受光回路によって受光された赤外線が含む情報が示す機種の空気調和機を制御するためのデータが特定された後に、前記携帯電話機が前記室外バーコードを読み取って前記室外バーコードが特定する前記いずれか１機種を示す情報を含む赤外線を前記赤外線受光回路に送信して前記室内機が前記室外バーコードが特定する前記いずれか１機種を示す情報を前記メンテナンス用の室外機用の空気調和機用基板に送信した場合、前記通信回路は、前記室内機から前記いずれか１機種を示す情報を取得し、
前記取得部は、前記通信回路によって取得された情報が示す機種の空気調和機を制御するためのデータを前記メモリから取得する
ことを特徴とするメンテナンス用の空気調和機用基板。
【請求項２】
１台の室内機と、
１台の室外機と、
前記１台の室外機に搭載されるメンテナンス用の室外機用の空気調和機用基板と、
携帯電話機とを備え、
前記メンテナンス用の室外機用の空気調和機用基板は、
複数の機種の空気調和機の各々を制御するためのデータを記憶するメモリと、
前記複数の機種のうちのいずれか１機種の空気調和機を制御するためのデータを前記メモリから取得する取得部と、
前記取得部によって取得されたデータをもとに前記１台の室外機の運転を制御する制御部と、
通信回路とを有し、
前記１台の室内機には、前記いずれか１機種を特定する室内バーコードが付けられており、
前記１台の室外機には、前記いずれか１機種を特定する室外バーコードが付けられており、
前記１台の室内機は、赤外線を受光する赤外線受光回路を有し、
前記携帯電話機は、カメラを有していて前記カメラを用いて前記室内バーコードを読み取り、前記室内バーコードが特定する前記いずれか１機種を示す情報を含む赤外線を前記１台の室内機に送信し、
前記赤外線受光回路が前記携帯電話機からの前記室内バーコードが特定する前記いずれか１機種を示す情報を含む赤外線を受光し、前記１台の室内機において、前記赤外線受光回路によって受光された赤外線が含む情報が示す機種の空気調和機を制御するためのデータが特定された後に、前記携帯電話機が前記カメラを用いて前記室外バーコードを読み取って前記室外バーコードが特定する前記いずれか１機種を示す情報を含む赤外線を前記１台の室内機に送信し、前記１台の室内機が、前記室外バーコードが特定する前記いずれか１機種を示す情報を前記メンテナンス用の室外機用の空気調和機用基板に送信した場合、前記通信回路は、前記１台の室内機から前記いずれか１機種を示す情報を取得し、
前記取得部は、前記通信回路によって取得された情報が示す機種の空気調和機を制御するためのデータを前記メモリから取得する
ことを特徴とする空気調和機のメンテナンスシステム。
【発明の詳細な説明】
【技術分野】
【０００１】
本発明は、空気調和機を制御するために空気調和機に搭載されるメンテナンス用の空気調和機用基板と空気調和機のメンテナンスシステムとに関する。
【背景技術】
【０００２】
一般に、異なる空調負荷（部屋の広さなど）に対応するために冷暖房の能力の異なる複数の空気調和機が販売される。その内、同一の機能を持ちかつ能力が異なる複数の機種はシリーズとしてラインナップされる。ラインナップされた複数の機種の各々では、冷暖房の能力の違いに対応して、熱交換器と、コンプレッサと、ファンのモータとの全部又は一部の仕様又は制御定数などが異なっている。一般に、シリーズにおける複数の機種の空気調和機の各々には、複数の種類のコンプレッサのいずれについても制御することができると共に、複数の種類のファンのモータのいずれについても制御することができる共通のハードウェアを有する制御基板が搭載される。【０００３】
制御基板は、制御基板が搭載される空気調和機の機種に固有の冷暖房の能力を実現するための固有の制御定数を記憶するメモリを更に有する。制御定数の一例は、コンプレッサの動作を制御するためのものである。制御定数の一例は、ファンのモータの回転数を制御するためのものである。【０００４】
空気調和機に搭載される制御基板に不具合が生じると、制御基板を交換しなければならない。上述の通り制御基板は共通のハードウェアを有しているが、メモリが記憶する制御定数は制御基板が搭載される空気調和機の機種（能力）に応じて異なる。つまり、複数の機種の空気調和機の各々の制御基板は、他の機種の空気調和機の制御基板と異なる。そのため、空気調和機のメーカは、複数の機種の空気調和機のすべてに対して制御基板をいつでも交換することができる状態にするために、複数の機種の各々に対してメンテナンス用の制御基板を常に用意しておく必要がある。【０００５】
更に言うと、販売を海外で行っている場合、それぞれの国において不具合が発生した場合に制御基板を迅速に交換することを可能とするために、メーカは、それぞれの国に対して倉庫を持つ必要がある。さらに、メーカは、ひとつの国に対して複数の倉庫を設け、各倉庫において、複数の機種の各々に対して十分な数のメンテナンス用の制御基板を準備する必要がある。そのため、メンテナンス用の制御基板の総数は膨大な数になってしまう。【０００６】
メーカが複数の機種の空気調和機の各々に対して十分な数のメンテナンス用の制御基板を常に準備する必要があるという問題を解決するために、以下の技術が提案されている。すなわち、制御定数を含む情報をサーバから携帯情報端末にダウンロードし、ダウンロードされた情報を携帯情報端末から空気調和機に含まれる室内機に送信し、室内機に搭載されている制御基板に含まれるメモリが記憶する情報をダウンロードされた情報に書き換えるという技術が提案されている（例えば、特許文献１参照）。
【先行技術文献】
【特許文献】
【０００７】
【特許文献１】特開２００６−１３２８７０号公報
【発明の概要】
【発明が解決しようとする課題】
【０００８】
しかしながら、上記の従来の技術では、サーバを管理する必要があり、サーバを管理するために多大な費用が必要となるという問題がある。【０００９】
本発明は、上記に鑑みてなされたものであって、サーバを必要とすることなく、かつ複数の機種の空気調和機の各々に対して膨大な数のメンテナンス用の制御基板を必要とすることなく、あらかじめ決められた複数の機種の空気調和機のいずれについても制御基板を迅速に交換することを可能とするメンテナンス用の空気調和機用基板を得ることを目的とする。
【課題を解決するための手段】
【００１０】
上述した課題を解決し、目的を達成するために、本発明に係るメンテナンス用の空気調和機用基板は、空気調和機に含まれる室内機又は室外機に搭載されるメンテナンス用の空気調和機用基板であって、複数の機種の空気調和機の各々を制御するためのデータを記憶するメモリと、前記複数の機種のうちのいずれか１機種の空気調和機を制御するためのデータを前記メモリから取得する取得部と、前記取得部によって取得されたデータをもとに前記メンテナンス用の空気調和機用基板が搭載される前記室内機又は前記室外機の運転を制御する制御部とを有する。本発明に係るメンテナンス用の空気調和機用基板は、通信回路を更に有する。本発明に係るメンテナンス用の空気調和機用基板は、前記室外機に搭載されるメンテナンス用の室外機用の空気調和機用基板であって、前記室内機には、前記いずれか１機種を特定する室内バーコードが付けられており、前記室外機には、前記いずれか１機種を特定する室外バーコードが付けられている。前記室内機は、赤外線を受光する赤外線受光回路を有する。前記赤外線受光回路が、前記室内バーコードを読み取って前記室内バーコードが特定する前記いずれか１機種を示す情報を含む赤外線を送信する携帯電話機からの赤外線を受光し、前記室内機において、前記赤外線受光回路によって受光された赤外線が含む情報が示す機種の空気調和機を制御するためのデータが特定された後に、前記携帯電話機が前記室外バーコードを読み取って前記室外バーコードが特定する前記いずれか１機種を示す情報を含む赤外線を前記赤外線受光回路に送信して前記室内機が前記室外バーコードが特定する前記いずれか１機種を示す情報を前記メンテナンス用の室外機用の空気調和機用基板に送信した場合、前記通信回路は、前記室内機から前記いずれか１機種を示す情報を取得する。前記取得部は、前記通信回路によって取得された情報が示す機種の空気調和機を制御するためのデータを前記メモリから取得する。
【発明の効果】
【００１１】
本発明に係るメンテナンス用の空気調和機用基板と空気調和機のメンテナンスシステムにより、サーバを必要とすることなく、かつ複数の機種の空気調和機の各々に対して十分な数のメンテナンス用の制御基板を必要とすることなく、あらかじめ決められた複数の機種の空気調和機のいずれに対しても制御基板を迅速に交換し、空気調和機を該当機種として動作させることができるという効果が得られる。
【図面の簡単な説明】
【００１２】
【図１】実施の形態に係る二つの制御基板が交換される前の（量産仕様の）空気調和機の構成を示す図
【図２】実施の形態に係る空気調和機のメンテナンスシステムの構成を示す図
【図３】実施の形態に係るメンテナンス用の室内機用の空気調和機用基板の概念を示す図
【図４】実施の形態に係るメンテナンス用の室内機用の空気調和機用基板が有する室内メモリの概念を示す図
【図５】実施の形態に係る空気調和機をメンテナンスする方法の各手順を示すシーケンス図
【図６】量産機種における複数の種類の室内機用の制御基板を示す図
【図７】実施の形態に係るメンテナンス用の室内機用の空気調和機用基板が有する受付部、取得部及び制御部の機能の少なくとも一部が処理回路によって実現される場合の処理回路を示す図
【発明を実施するための形態】
【００１３】
以下に、本発明の実施の形態に係るメンテナンス用の空気調和機用基板と本発明の実施の形態に係る空気調和機のメンテナンスシステムとを図面に基づいて詳細に説明する。なお、この実施の形態によりこの発明が限定されるものではない。
【００１４】
実施の形態．
実施の形態に係る空気調和機のメンテナンスシステムは、空気調和機が有する室内機及び室外機の各々に含まれる制御基板を交換する際の技術に関連するシステムである。そのため、実施の形態に係る空気調和機のメンテナンスシステムを説明する前に、二つの制御基板が交換される前の量産仕様の空気調和機を説明する。図１は、実施の形態に係る二つの制御基板が交換される前の（量産仕様の）空気調和機１の構成を示す図である。図１に示す通り、空気調和機１は室内機２と室外機３とを有する。図１には、ユーザが空気調和機１を制御するためにユーザによって操作される遠隔操作機器６０も示されている。遠隔操作機器６０は、空気調和機１を制御するための制御信号を含む赤外線を室内機２に送信する。制御信号は、ユーザの操作に基づく信号である。
【００１５】
室内機２には、空気調和機１の機種を特定するバーコードである室内バーコード２１ａが付けられている。具体的には、室内機２には、室内バーコード２１ａを含むラベル２１が貼り付けられている。ラベル２１は、空気調和機１がメーカから出荷される時までに、室内機２に貼り付けられている。室内バーコード２１ａは、室内機２に印字されていてもよい。室内バーコード２１ａは、室内機２に取り付けられる銘板に付けられていてもよい。いずれにしても、室内機２には、空気調和機１の機種を特定するバーコードである室内バーコード２１ａが付けられている。室内バーコード２１ａは、室内バーコード２１ａが室内機２に付けられていることを示す情報も含む。
【００１６】
室内機２は、室内センサ２２と、フラップ２３と、フラップ２３を駆動するモータであるステッピングモータ２４と、室内ファン２５と、室内ファン２５を駆動するモータである室内ファンモータ２６と、ステッピングモータ２４及び室内ファンモータ２６を制御する室内機用の制御基板２７とを有する。室内センサ２２の一例は、温度を検出するセンサである。
【００１７】
室内機用の制御基板２７は、遠隔操作機器６０からの赤外線を受光する赤外線受光回路４１を有する。室内機用の制御基板２７は、赤外線受光回路４１によって受光された赤外線に含まれる制御信号を赤外線受光回路４１から受信し、制御信号と、室内センサ２２によって得られた情報とをもとに、ステッピングモータ２４及び室内ファンモータ２６の制御などを行う室内マイコン４２を更に有する。赤外線受光回路４１は、室内機用の制御基板２７とは別基板で構成されてワイヤーハーネスにて室内機用の制御基板２７と接続される場合もある。
【００１８】
室内機用の制御基板２７は、室内機２を制御するためのデータを記憶する室内メモリ４３を更に有する。室内機２を制御するためのデータは、室内機２及び室外機３を有する空気調和機１の機種に固有のデータであって、ステッピングモータ２４及び室内ファンモータ２６の各々を制御するための制御定数を含む。室内メモリ４３の一例は、ＥＥＰＲＯＭ（Electrically  Erasable  Programmable  Read-Only  Memory）である。室内マイコン４２は、室内メモリ４３に記憶されているデータをも利用してステッピングモータ２４及び室内ファンモータ２６を制御する。
【００１９】
室内機用の制御基板２７は、室内機２が運転中である場合に点灯する表示装置４４を更に有する。表示装置４４が点灯することにより、ユーザは室内機２が運転中であることを認識することができる。室内機用の制御基板２７は、室内マイコン４２が赤外線受光回路４１から制御信号を受信した場合に音を出力する鳴動装置４５を更に有する。制御信号は、ユーザによって操作される遠隔操作機器６０が室内機２に送信する赤外線に含まれる信号である。鳴動装置４５が音を出力することにより、ユーザは制御信号を含む赤外線が室内機２に伝達されたことを認識することができる。室内機用の制御基板２７は、室外機３と通信する室内通信回路４６を更に有する。
【００２０】
室外機３には、空気調和機１の機種を特定するバーコードである室外バーコード３１ａが付けられている。具体的には、室外機３には、室外バーコード３１ａを含むラベル３１が貼り付けられている。ラベル３１は、空気調和機１がメーカから出荷される時までに、室外機３に貼り付けられている。室外バーコード３１ａは、室外機３に印字されていてもよい。室外バーコード３１ａは、室外機３に取り付けられる銘板に付けられていてもよい。いずれにしても、室外機３には、空気調和機１の機種を特定するバーコードである室外バーコード３１ａが付けられている。室外バーコード３１ａは、室外バーコード３１ａが室外機３に付けられていることを示す情報も含む。
【００２１】
室外機３は、室外センサ３２と、コンプレッサ３３と、室外ファン３４と、室外ファン３４を駆動するモータである室外ファンモータ３５と、四方弁３６と、リニア電動弁３７と、コンプレッサ３３、室外ファンモータ３５、四方弁３６及びリニア電動弁３７を制御する室外機用の制御基板３８とを有する。室外センサ３２の一例は、温度を検出するセンサである。
【００２２】
室外機用の制御基板３８は、室内機２が有する室内機用の制御基板２７の室内通信回路４６と通信する室外通信回路５１を有する。室外機用の制御基板３８は、室外通信回路５１によって受信された信号を室外通信回路５１から受信し、受信された信号をもとに、コンプレッサ３３、室外ファンモータ３５、四方弁３６及びリニア電動弁３７を制御する室外マイコン５２を更に有する。
【００２３】
室外機用の制御基板３８は、室外機３を制御するためのデータを記憶する室外メモリ５３を更に有する。室外機３を制御するためのデータは、室内機２及び室外機３を有する空気調和機１の機種に固有のデータであって、コンプレッサ３３及び室外ファンモータ３５の各々を制御するための制御定数を含む。室外メモリ５３の一例は、ＥＥＰＲＯＭである。室外マイコン５２は、室外メモリ５３に記憶されているデータをも利用して、コンプレッサ３３、室外ファンモータ３５、四方弁３６及びリニア電動弁３７を制御する。
【００２４】
上述の通り、室内機２は室内機用の制御基板２７を有し、室内機用の制御基板２７は室内通信回路４６を有する。室外機３は室外機用の制御基板３８を有し、室外機用の制御基板３８は室外通信回路５１を有する。室内機用の制御基板２７と室外機用の制御基板３８とは、室内通信回路４６と室外通信回路５１とを介して通信し、互いに協調することにより、空気調和機１の機能を実現する。
【００２５】
次に、空気調和機１の動作を説明する。室内機２の室内機用の制御基板２７が有する赤外線受光回路４１が遠隔操作機器６０から赤外線を受光すると、室内マイコン４２は、赤外線受光回路４１によって受光された赤外線に含まれる制御信号を赤外線受光回路４１から受信する。室内マイコン４２は、室内機２が運転中であることを報知するために表示装置４４を点灯させる。加えて、室内マイコン４２は、室内マイコン４２が赤外線受光回路４１から制御信号を受信したことを報知するために鳴動装置４５に音を出力させる。つまり、室内マイコン４２は、遠隔操作機器６０からの赤外線が室内機２に届いたことを報知するために鳴動装置４５により音を出力させる。
【００２６】
さらに、室内マイコン４２は、赤外線受光回路４１によって受光された赤外線に含まれる制御信号と、室内センサ２２によって得られた情報と、室内メモリ４３に記憶されているデータとを利用してステッピングモータ２４及び室内ファンモータ２６を制御する。具体的には、室内マイコン４２は、ステッピングモータ２４を駆動させてフラップ２３を動かし、風の吹き出し口を開けさせる信号をステッピングモータ２４に出力する。室内マイコン４２は、室内ファンモータ２６を駆動させて室内ファン２５を回転させ、それにより室内機２に送風させる。室内マイコン４２は、室内通信回路４６と室外通信回路５１とを介して、室外機３が有する室外機用の制御基板３８の室外マイコン５２に空気調和機１の運転の情報を含む信号を送信する。
【００２７】
室外マイコン５２は、室内機用の制御基板２７の室内マイコン４２からの信号と、室外センサ３２によって得られた情報と、室外メモリ５３に記憶されているデータとをもとに、コンプレッサ３３、室外ファンモータ３５及びリニア電動弁３７を起動させると共に、四方弁３６の切り換えの制御を行う。
【００２８】
次に、実施の形態に係る空気調和機のメンテナンスシステム１０を説明する。実施の形態に係る空気調和機のメンテナンスシステム１０は、図１に示す空気調和機１が有する室内機２及び室外機３の各々に含まれる制御基板を交換する際の技術に関連するシステムである。具体的には、空気調和機のメンテナンスシステム１０は、図１の室内機用の制御基板２７及び室外機用の制御基板３８の各々を交換する際の技術に関連するシステムである。
【００２９】
図２は、実施の形態に係る空気調和機のメンテナンスシステム１０の構成を示す図である。以下では、「空気調和機のメンテナンスシステム１０」を簡潔に「メンテナンスシステム１０」と記載する場合がある。図２に示す通り、メンテナンスシステム１０は、室内機２Ａと、室外機３Ａとを有する。
【００３０】
室内機２Ａは、図１の室内機２が有する複数の構成要素から室内機用の制御基板２７が取り除かれたものであって、室内センサ２２、フラップ２３、ステッピングモータ２４、室内ファン２５及び室内ファンモータ２６を有する。室内機２Ａには、室内機２Ａを有する空気調和機の機種を特定するバーコードである室内バーコード２１ａが付けられている。更に言うと、室内バーコード２１ａは室内機２Ａを特定するバーコードである。具体的には、室内機２Ａには、室内バーコード２１ａを含むラベル２１が貼り付けられている。室内バーコード２１ａは、室内機２Ａに印字されていてもよい。室内バーコード２１ａは、室内機２Ａに取り付けられる銘板に付けられていてもよい。いずれにしても、室内機２Ａには、室内機２Ａを有する空気調和機の機種を特定する室内バーコード２１ａが付けられている。室内バーコード２１ａは、室内バーコード２１ａが室内機２Ａに付けられていることを示す情報も含む。
【００３１】
室外機３Ａは、図１の室外機３が有する複数の構成要素から室外機用の制御基板３８が取り除かれたものであって、室外センサ３２、コンプレッサ３３、室外ファン３４、室外ファンモータ３５、四方弁３６及びリニア電動弁３７を有する。室外機３Ａには、室外機３Ａを有する空気調和機の機種を特定するバーコードである室外バーコード３１ａが付けられている。更に言うと、室外バーコード３１ａは室外機３Ａを特定するバーコードである。具体的には、室外機３Ａには、室外バーコード３１ａを含むラベル３１が貼り付けられている。室外バーコード３１ａは、室外機３Ａに印字されていてもよい。室外バーコード３１ａは、室外機３Ａに取り付けられる銘板に付けられていてもよい。いずれにしても、室外機３Ａには、室外機３Ａを有する空気調和機の機種を特定する室外バーコード３１ａが付けられている。室外バーコード３１ａは、室外バーコード３１ａが室外機３Ａに付けられていることを示す情報も含む。
【００３２】
図２に示す通り、メンテナンスシステム１０は、バーコードを読み取ることができる携帯電話機６と、室内機２Ａに搭載されるメンテナンス用の室内機用の空気調和機用基板７と、室外機３Ａに搭載されるメンテナンス用の室外機用の空気調和機用基板８とを更に有する。図２では、メンテナンス用の室内機用の空気調和機用基板７は室内機２Ａに搭載された状態で示されており、メンテナンス用の室外機用の空気調和機用基板８は室外機３Ａに搭載された状態で示されている。ここでは室内外共に制御基板が交換された状態で図示されているが、どちらか一方の制御基板が交換されても構わない。図２には、遠隔操作機器６０も示されている。
【００３３】
携帯電話機６は、カメラを有していて、カメラを用いてバーコードを読み取る。図２には、携帯電話機６が有するカメラは示されていない。携帯電話機６は、サービスマンの操作によって、室内機２Ａに付けられている室内バーコード２１ａを読み取り、室内バーコード２１ａが特定する機種を示す情報を含む赤外線を室内機２Ａに送信する。室内バーコード２１ａが特定する機種は、室内機２Ａを有する空気調和機の機種である。携帯電話機６は、サービスマンの操作によって、室外機３Ａに付けられている室外バーコード３１ａを読み取り、室外バーコード３１ａが特定する機種を示す情報を含む赤外線を室内機２Ａに送信する。室外バーコード３１ａが特定する機種は、室外機３Ａを有する空気調和機の機種である。
【００３４】
メンテナンス用の室内機用の空気調和機用基板７は、室内機用の制御基板２７が故障した場合に、室内機用の制御基板２７の代わりに室内機２Ａに搭載される基板であって、室内機用の制御基板２７が有する赤外線受光回路４１、表示装置４４及び鳴動装置４５を有する。上述の通り、赤外線受光回路４１は、遠隔操作機器６０からの赤外線を受光する。メンテナンス用の室内機用の空気調和機用基板７は、赤外線受光回路４１によって受光された赤外線に含まれる制御信号を赤外線受光回路４１から受信し、制御信号と、室内センサ２２によって得られた情報とをもとに、ステッピングモータ２４及び室内ファンモータ２６を制御する室内マイコン７２を更に有する。室内マイコン７２は、室内機用の制御基板２７における室内マイコン４２が有する機能と、室内マイコン４２が有しない機能とを有する。室内マイコン７２の詳細については、後述する。なお、赤外線受光回路４１は、携帯電話機６が送信した赤外線も受光する。
【００３５】
メンテナンス用の室内機用の空気調和機用基板７は、複数の機種の空気調和機の各々を制御するためのデータを記憶する室内メモリ７３を更に有する。具体的には、室内メモリ７３は、複数の機種の空気調和機の各々が有する室内機を制御するためのデータを記憶する。より具体的には、室内メモリ７３は、メンテナンス用の室内機用の空気調和機用基板７が搭載される室内機２Ａを制御するためのデータを記憶すると共に、室内機２Ａを有する空気調和機の機種以外の機種の空気調和機が有する室内機を制御するためのデータを記憶する。
【００３６】
更に言うと、室内機用の制御基板２７が有する室内メモリ４３は図１の空気調和機１の機種に固有のデータを記憶するが、室内メモリ７３は、室内機２Ａを有する空気調和機の機種に固有のデータを記憶すると共に、室内機２Ａを有する空気調和機の機種以外の機種に固有のデータを記憶する。室内メモリ７３は、室内メモリ４３と同一種類のメモリの大容量版である。
【００３７】
図３は、実施の形態に係るメンテナンス用の室内機用の空気調和機用基板７の概念を示す図である。室内機２Ａを有する空気調和機の機種に「９０」という番号が割り当てられており、室内機２Ａを有する空気調和機の機種以外の９機種の空気調和機の各々に「９１」、「９２」、「９３」、「９４」、「９５」、「９６」、「９７」、「９８」及び「９９」という番号が重複することなく割り当てられていることを想定する。
【００３８】
従来、図３の矢印の後端側に示されている通り、１０機種の空気調和機それぞれに対応した制御を行うためのデータを記憶したメモリを搭載した制御基板をメンテナンス用として機種の種類分、１０種類用意する必要があった。実施の形態では、メンテナンス用の室内機用の空気調和機用基板７が複数の機種の空気調和機の各々を制御するためのデータを記憶する室内メモリ７３を有する。例えば、室内メモリ７３は、上記の１０機種の室内機用の制御基板の各々の室内メモリ４３に記憶されるデータを記憶する。そのため、実施の形態のメンテナンス用の室内機用の空気調和機用基板７は、図３の矢印の先端側に示されている通り、上記の１０機種の室内機用の制御基板が集約された基板の機能を有する。
【００３９】
図４は、実施の形態に係るメンテナンス用の室内機用の空気調和機用基板７が有する室内メモリ７３の概念を示す図である。例えば、図４に示す通り、室内メモリ７３は、アドレスＡからアドレスＫまでの各アドレスによって特定される複数の記憶エリアを有している。上記の１０機種の空気調和機を例に挙げると、室内メモリ７３は、アドレスＡの記憶エリアにおいて、上記の１０機種の空気調和機のいずれにも共通する共通データを記憶する。例えば、共通データは、上記の１０機種の空気調和機のいずれにも共通する制御定数である。
【００４０】
室内メモリ７３は、アドレスＢからアドレスＫまでの各アドレスの記憶エリアにおいて、上記の１０機種の空気調和機のいずれかに固有のデータを重複することなく記憶する。例えば、図４に示す通り、室内メモリ７３は、アドレスＢの記憶エリアにおいて機種の番号が「９０」である空気調和機の機種に固有のデータを記憶し、アドレスＣの記憶エリアにおいて機種の番号が「９１」である空気調和機の機種に固有のデータを記憶する。そのため上述の通り、室内メモリ７３を有するメンテナンス用の室内機用の空気調和機用基板７は、上記の１０機種分の室内機用の制御基板が集約された基板の機能を有する。固有のデータは、例えば固有の制御定数である。
【００４１】
図２に示す通り、室内マイコン７２は、複数の機種のうちのいずれか１機種を示す情報を受け付ける受付部７６の機能と、いずれか１機種の空気調和機を制御するためのデータを室内メモリ７３から取得する取得部７７の機能とを有する。室内マイコン７２は、取得部７７によって取得されたデータをもとにメンテナンス用の室内機用の空気調和機用基板７が搭載される室内機２Ａの運転を制御する制御部７８の機能を更に有する。制御部７８の機能には、室内機２Ａの運転を制御する機能以外の機能も存在する。制御部７８の室内機２Ａの運転を制御する機能以外の機能については、後に空気調和機１をメンテナンスする方法を説明する際に説明する。
【００４２】
携帯電話機６が、サービスマンの操作によって、室内機２Ａに付けられている室内バーコード２１ａをカメラで読み取り、室内バーコード２１ａが特定する機種を示す情報を含む赤外線を室内機２Ａに送信することを想定する。上述の通り、室内バーコード２１ａが特定する機種は、室内機２Ａを有する空気調和機の機種である。赤外線受光回路４１は、携帯電話機６からの赤外線を受光する。
【００４３】
受付部７６は、携帯電話機６からの赤外線に含まれる情報を赤外線受光回路４１から受け付ける。上述の通り、室内バーコード２１ａが特定する機種は、室内機２Ａを有する空気調和機の機種である。つまり、受付部７６は、室内機２Ａを有する空気調和機の機種を示す情報を受け付ける。受付部７６によって受け付けられた情報は、複数の機種のうちのいずれか１機種を示す情報を含む。受付部７６によって受け付けられた情報は、当該情報のもとになった室内バーコード２１ａが室内機２Ａに付けられていることを示す情報も含む。
【００４４】
取得部７７は、受付部７６によって受け付けられた情報にしたがって、室内機２Ａを有する空気調和機の機種の空気調和機が有する室内機を制御するためのデータを室内メモリ７３から取得する。つまり、取得部７７は、室内機２Ａを制御するためのデータを室内メモリ７３から取得する。室内機２Ａを有する空気調和機の機種は、受付部７６によって受け付けられた情報が示す複数の機種のうちのいずれか１機種である。
【００４５】
取得部７７が室内機２Ａを制御するためのデータを室内メモリ７３から取得すると、制御部７８は、取得部７７によって取得されたデータをもとにメンテナンス用の室内機用の空気調和機用基板７が搭載される室内機２Ａの運転を制御する。具体的には、制御部７８は、取得部７７によって取得されたデータと、遠隔操作機器６０から送信され赤外線受光回路４１によって受光された赤外線に含まれる制御信号と、室内センサ２２によって得られた情報とをもとに、ステッピングモータ２４及び室内ファンモータ２６を制御する。
【００４６】
メンテナンス用の室内機用の空気調和機用基板７は、受付部７６、取得部７７及び制御部７８によって実行されるステップが結果的に実行されることになるプログラムを記憶する記憶部７５を更に有する。記憶部７５が記憶するプログラムは、受付部７６、取得部７７及び制御部７８が実行する手順又は方法を室内マイコン７２に実行させるものであるともいえる。記憶部７５は、例えば、ＲＡＭ（Random  Access  Memory）、ＲＯＭ（Read  Only  Memory）、フラッシュメモリ、ＥＰＲＯＭ（Erasable  Programmable  Read  Only  Memory）、ＥＥＰＲＯＭ等の不揮発性又は揮発性の半導体メモリ等である。図２では室内マイコン７２の外に記憶部７５が記載されているが、記憶部７５はマイコン内に設けられることが多く、図示していないが図１の室内マイコン４２も記憶部７５と同様の記憶部に記憶されたプログラムによって動作する。
【００４７】
メンテナンス用の室内機用の空気調和機用基板７は、室外機３Ａに搭載されるメンテナンス用の室外機用の空気調和機用基板８と通信する室内通信回路７９を更に有する。室内通信回路７９は、図１の室内機用の制御基板２７における室内通信回路４６が有する機能を有する。室内通信回路７９は、室内マイコン７２の受付部７６によって受け付けられた固有の機種を示す情報をメンテナンス用の室外機用の空気調和機用基板８に送信する機能を有する。
【００４８】
携帯電話機６が、サービスマンの操作によって、室外機３Ａに付けられている室外バーコード３１ａをカメラで読み取り、室外バーコード３１ａが特定する機種を示す情報を含む赤外線を室内機２Ａに送信する場合、室内通信回路７９は、室内マイコン７２の受付部７６によって受け付けられた室外バーコード３１ａが特定する機種を示す情報をメンテナンス用の室外機用の空気調和機用基板８に送信する。
【００４９】
メンテナンス用の室外機用の空気調和機用基板８は、室外機用の制御基板３８が故障した場合に、室外機用の制御基板３８の代わりに室外機３Ａに搭載される基板であって、メンテナンス用の室内機用の空気調和機用基板７が有する室内通信回路７９と通信する室外通信回路８１を有する。室外通信回路８１は、室外機用の制御基板３８における室外通信回路５１が有する機能を有する。携帯電話機６が、サービスマンの操作によって、室外機３Ａに付けられている室外バーコード３１ａをカメラで読み取り、室外バーコード３１ａが特定する機種を示す情報を含む赤外線を室内機２Ａに送信する場合、室外通信回路８１は、メンテナンス用の室内機用の空気調和機用基板７における室内マイコン７２の受付部７６によって受け付けられた室外バーコード３１ａが特定する機種を示す情報を室内通信回路７９から受信する。
【００５０】
メンテナンス用の室外機用の空気調和機用基板８は、室外通信回路８１によって受信された信号を室外通信回路８１から受信し、受信された信号をもとに、コンプレッサ３３、室外ファンモータ３５、四方弁３６及びリニア電動弁３７を制御する室外マイコン８２を更に有する。室外マイコン８２は、室外機用の制御基板３８における室外マイコン５２が有する機能と、室外マイコン５２が有しない機能とを有する。室外マイコン８２の詳細については、後述する。
【００５１】
メンテナンス用の室外機用の空気調和機用基板８は、複数の機種の空気調和機の各々を制御するためのデータを記憶する室外メモリ８３を更に有する。具体的には、室外メモリ８３は、複数の機種の空気調和機の各々が有する室外機を制御するためのデータを記憶する。より具体的には、室外メモリ８３は、メンテナンス用の室外機用の空気調和機用基板８が搭載される室外機３Ａを制御するためのデータを記憶すると共に、室外機３Ａを有する空気調和機の機種以外の機種の空気調和機が有する室外機を制御するためのデータを記憶する。
【００５２】
更に言うと、室外機用の制御基板３８が有する室外メモリ５３は図１の空気調和機１の機種に固有のデータを記憶するが、室外メモリ８３は、室外機３Ａを有する空気調和機の機種に固有のデータを記憶すると共に、室外機３Ａを有する空気調和機の機種以外の機種に固有のデータを記憶する。室外メモリ８３は、室外メモリ５３と同一種類のメモリの大容量版である。
【００５３】
室外マイコン８２は、複数の機種のうちのいずれか１機種を示す情報を受け付ける受付部８６の機能と、いずれか１機種の空気調和機を制御するためのデータを室外メモリ８３から取得する取得部８７の機能とを有する。
【００５４】
上述の通り、室外通信回路８１は、メンテナンス用の室内機用の空気調和機用基板７の受付部７６によって受け付けられた情報の一部である複数の機種のうちのいずれか１機種を示す情報を取得する。受付部８６は、室外通信回路８１によって取得された機種を示す情報を受け付ける。いずれか１機種は、受付部８６が受け付けた情報が示す機種である。取得部８７は、室外通信回路８１によって取得された情報が示す機種の空気調和機を制御するためのデータを室外メモリ８３から取得する。
【００５５】
室外マイコン８２は、取得部８７によって取得されたデータをもとにメンテナンス用の室外機用の空気調和機用基板８が搭載される室外機３Ａの運転を制御する制御部８８の機能を更に有する。取得部８７が室外機３Ａを制御するためのデータを室外メモリ８３から取得すると、制御部８８は、取得部８７によって取得されたデータをもとにメンテナンス用の室外機用の空気調和機用基板８が搭載される室外機３Ａの運転を制御する。具体的には、制御部８８は、取得部８７によって取得されたデータと、室外通信回路８１によって受信された信号である遠隔操作機器６０が室内機２Ａに送信する赤外線に含まれる制御信号に基づく信号と、室外センサ３２によって得られた情報とをもとに、コンプレッサ３３、室外ファンモータ３５、四方弁３６及びリニア電動弁３７を制御する。制御部８８の機能には、室外機３Ａの運転を制御する機能以外の機能も存在する。制御部８８の室外機３Ａの運転を制御する機能以外の機能については、後に空気調和機１をメンテナンスする方法を説明する際に説明する。
【００５６】
メンテナンス用の室外機用の空気調和機用基板８は、受付部８６、取得部８７及び制御部８８によって実行されるステップが結果的に実行されることになるプログラムを記憶する記憶部８５を更に有する。記憶部８５が記憶するプログラムは、受付部８６、取得部８７及び制御部８８が実行する手順又は方法を室外マイコン８２に実行させるものであるともいえる。記憶部８５は、例えば、ＲＡＭ、ＲＯＭ、フラッシュメモリ、ＥＰＲＯＭ、ＥＥＰＲＯＭ等の不揮発性又は揮発性の半導体メモリ等である。図２では室外マイコン８２の外に記憶部８５が記載されているが、記憶部８５はマイコン内に設けられることが多く、図示していないが図１の室外マイコン５２も記憶部８５と同様の記憶部に記憶されたプログラムによって動作する。
【００５７】
次に、図１に示す空気調和機１が有する室内機２の室内機用の制御基板２７と空気調和機１が有する室外機３の室外機用の制御基板３８とのいずれにも不具合が発生し、室内機用の制御基板２７をメンテナンス用の室内機用の空気調和機用基板７に交換すると共に、室外機用の制御基板３８をメンテナンス用の室外機用の空気調和機用基板８に交換することにより空気調和機１をメンテナンスする方法を説明する。図５は、実施の形態に係る空気調和機１をメンテナンスする方法の各手順を示すシーケンス図である。
【００５８】
図１の空気調和機１をメンテナンスするサービスマンは、空気調和機１の電源を落とし、空気調和機１が有する室内機２の室内機用の制御基板２７を室内機２から取り外すと共に、空気調和機１が有する室外機３の室外機用の制御基板３８を室外機３から取り外す。室内機２から室内機用の制御基板２７が取り外されると、室内機２は図２に示す室内機２Ａとなる。室外機３から室外機用の制御基板３８が取り外されると、室外機３は図２に示す室外機３Ａとなる。
【００５９】
サービスマンは、室内機２Ａにメンテナンス用の室内機用の空気調和機用基板７を取り付ける（Ｓ１）。これにより、サービスマンは、室内機用の制御基板２７をメンテナンス用の室内機用の空気調和機用基板７に交換する（Ｓ１）。つまり、サービスマンは、室内機の基板を交換する（Ｓ１）。サービスマンは、携帯電話機６のカメラを用い、携帯電話機６に、室内機２Ａに付けられている室内バーコード２１ａを読み取らせる（Ｓ２）。サービスマンは、室内機２Ａ及び室外機３Ａを有する空気調和機の電源を入れる（Ｓ３）。
【００６０】
メンテナンス用の室内機用の空気調和機用基板７が室内機２Ａに取り付けられているが、メンテナンス用の室内機用の空気調和機用基板７における室内メモリ７３が有するデータのうちのメンテナンス後に用いられるデータはまだ特定されていない。そのため、室内機２Ａの表示装置４４は通常運転時及び機器の異常時に表示する情報と異なる情報を表示し、室内機２Ａの鳴動装置４５は通常運転時及び機器の異常時に出力する音と異なる音を出力する（Ｓ４）。つまり、表示装置４４及び鳴動装置４５が動作する（Ｓ４）。
【００６１】
具体的には、表示装置４４は、点灯及び消灯のパターン、複数存在する発光ダイオードの点灯の組み合わせ、又は色などの表現動作を、通常運転時及び機器の異常時の表現動作と異ならせて、通常運転時及び機器の異常時に表示する情報と異なる情報を表示する。鳴動装置４５は、鳴動の長さ、音階、又は鳴動のオンとオフのパターンなどの表現動作を、通常運転時及び機器の異常時の表現動作と異ならせて、通常運転時及び機器の異常時に出力する音と異なる音を出力する。すなわち、表示装置４４及び鳴動装置４５は、通常時及び異常時とは異なる表現動作で、データの指定をサービスマンに促す。通常運転時及び機器の異常時の表現動作と異なる表現動作は、表示装置４４と鳴動装置４５とのどちらか一方によって行われても構わない。
【００６２】
前述の通りステップＳ４における表示装置４４及び鳴動装置４５の動作は、ステップＳ２において携帯電話機６により読み取られた室内バーコード２１ａが特定する室内機２Ａを有する空気調和機の機種を示す情報を室内機２Ａに送信することをサービスマンに促す。サービスマンは、携帯電話機６を操作して、携帯電話機６に、室内バーコード２１ａが特定する室内機２Ａを有する空気調和機の機種を示す情報を含む赤外線を室内機２Ａに送信させる（Ｓ５）。
【００６３】
室内機２Ａに取り付けられたメンテナンス用の室内機用の空気調和機用基板７の赤外線受光回路４１は、携帯電話機６から赤外線を受光する。室内マイコン７２の制御部７８は、取得部７７に対し、室内バーコード２１ａが特定する室内機２Ａを制御するためのデータを室内メモリ７３から取得することを指示する（Ｓ６）。
【００６４】
ステップＳ６の動作が行われた後、室内機２Ａの表示装置４４は、取得すべきデータを指示したことを終了したことを示す情報を表示し、室内機２Ａの鳴動装置４５は、取得すべきデータを指示したことを終了したことを示す情報を音により出力する（Ｓ７）。すなわち、表示装置４４及び鳴動装置４５は終了時の動作を行う（Ｓ７）。サービスマンは、表示装置４４及び鳴動装置４５の終了動作を受けて、室内機２Ａ及び室外機３Ａを有する空気調和機の電源を切る（Ｓ８）。
【００６５】
サービスマンは、室外機３Ａにメンテナンス用の室外機用の空気調和機用基板８を取り付ける（Ｓ９）。これにより、サービスマンは、室外機用の制御基板３８をメンテナンス用の室外機用の空気調和機用基板８に交換する（Ｓ９）。つまり、サービスマンは、室外機の基板を交換する（Ｓ９）。サービスマンは、携帯電話機６のカメラを用い、携帯電話機６に、室外機３Ａに付けられている室外バーコード３１ａを読み取らせる（Ｓ１０）。サービスマンは、室内機２Ａ及び室外機３Ａを有する空気調和機の電源を入れる（Ｓ１１）。
【００６６】
メンテナンス用の室外機用の空気調和機用基板８が室外機３Ａに取り付けられているが、メンテナンス用の室外機用の空気調和機用基板８における室外メモリ８３が有するデータのうちのメンテナンス後に用いられるデータはまだ特定されていない。そのため、室内機２Ａと室外機３Ａとの通信により、室内機２Ａが、データが特定されていないことを把握すると、室内機２Ａの表示装置４４は通常運転時及び機器の異常時に表示する情報と異なる情報を表示し、室内機２Ａの鳴動装置４５は通常運転時及び機器の異常時に出力する音と異なる音を出力する（Ｓ１２）。つまり、表示装置４４及び鳴動装置４５が動作する（Ｓ１２）。なお、低待機電力のために室内機２Ａに室外給電制御用のリレーが搭載されている場合は、リレーをオンさせて室外機３Ａへの給電が行われた後にステップＳ１２の動作が行われる。
【００６７】
ステップＳ１２における表示装置４４及び鳴動装置４５の動作は、ステップＳ１０において携帯電話機６により読み取られた室外バーコード３１ａが特定する室外機３Ａを有する空気調和機の機種を示す情報を室内機２Ａに送信することをサービスマンに促す。サービスマンは、携帯電話機６を操作して、携帯電話機６に、室外バーコード３１ａが特定する室外機３Ａを有する空気調和機の機種を示す情報を含む赤外線を室内機２Ａに送信させる（Ｓ１３）。
【００６８】
室内機２Ａに取り付けられたメンテナンス用の室内機用の空気調和機用基板７の赤外線受光回路４１は、携帯電話機６から赤外線を受光する。室内通信回路７９は、室外機３Ａを有する空気調和機の機種を示す情報をメンテナンス用の室外機用の空気調和機用基板８に送信する（Ｓ１４）。
【００６９】
ステップＳ１４の動作が行われた後、メンテナンス用の室外機用の空気調和機用基板８では、室外マイコン８２の制御部８８は、ステップＳ１４においてメンテナンス用の室内機用の空気調和機用基板７が送信した情報をもとに、取得部８７に対し、室外バーコード３１ａが特定する室外機３Ａを制御するためのデータを室外メモリ８３から取得することを指示する（Ｓ１５）。
【００７０】
つまり、メンテナンス用の室内機用の空気調和機用基板７の赤外線受光回路４１が、室内バーコード２１ａを読み取って室内バーコード２１ａが特定するいずれか１機種を示す情報を含む赤外線を携帯電話機６から受光する。室内機２Ａにおいて、赤外線受光回路４１によって受光された赤外線が含む情報が示す機種の空気調和機を制御するためのデータが特定された後に、携帯電話機６がカメラを用いて室外バーコード３１ａを読み取って室外バーコード３１ａが特定するいずれか１機種を示す情報を含む赤外線を赤外線受光回路４１に送信する。室内機２Ａは、室外バーコード３１ａが特定するいずれか１機種を示す情報をメンテナンス用の室外機用の空気調和機用基板８に送信する。室外通信回路８１は、室内機２Ａからいずれか１機種を示す情報を取得し、室外マイコン８２の制御部８８は、室外通信回路８１が受信した情報をもとに、取得部８７に対し、室外バーコード３１ａが特定する室外機３Ａを制御するためのデータを室外メモリ８３から取得することを指示する（Ｓ１５）。
【００７１】
ステップＳ１５の動作が行われた後、メンテナンス用の室外機用の空気調和機用基板８は、室外マイコン８２の制御部８８が取得部８７に対し室外バーコード３１ａが特定する室外機３Ａを制御するためのデータを室外メモリ８３から取得することを指示したこと示す情報をメンテナンス用の室内機用の空気調和機用基板７に送信する（Ｓ１６）。室内機２Ａの表示装置４４は、取得すべきデータを指示したことを終了したことを示す情報を表示し、室内機２Ａの鳴動装置４５は、取得すべきデータを指示したことを終了したことを示す情報を音により出力する（Ｓ１７）。すなわち、表示装置４４及び鳴動装置４５は終了時の動作を行う（Ｓ１７）。サービスマンは、表示装置４４及び鳴動装置４５の終了動作を受けて、室内機２Ａ及び室外機３Ａを有する空気調和機の電源を切る（Ｓ１８）。上述の方法により、空気調和機１のメンテナンスが行われる。
【００７２】
なお、上述の方法では、図１に示す空気調和機１が有する室内機２の室内機用の制御基板２７をメンテナンス用の室内機用の空気調和機用基板７に交換すると共に、空気調和機１が有する室外機３の室外機用の制御基板３８をメンテナンス用の室外機用の空気調和機用基板８に交換している。しかしながら、室内機用の制御基板２７及び室外機用の制御基板３８の一方において不具合が生じていない場合は、不具合のない制御基板は交換する必要はない。
【００７３】
室内機用の制御基板２７が正常で室外機用の制御基板３８に不具合があった場合、室外機用の制御基板３８がメンテナンス用の室外機用の空気調和機用基板８に交換される。この場合、上述の方法において、室内機２Ａは室内機２に置き換えられる。室内機２が有する室内機用の制御基板２７の室内通信回路４６は、ステップＳ１４において、室外機３Ａを有する空気調和機の機種を示す情報をメンテナンス用の室外機用の空気調和機用基板８に送信する。
【００７４】
低待機電力のために室内機２又は室内機２Ａに室外給電制御用のリレーが搭載されている場合は、遠隔操作機器６０からの信号が室内機２又は室内機２Ａに入るまでは室外機３Ａへの給電は行われない。室外機３Ａへの給電が行われなければ、室内機２又は室内機２Ａはメンテナンス用の室外機用の空気調和機用基板８のデータが未確定であることを把握することができない。メンテナンス時においては、メンテナンス用の室内機用の空気調和機用基板７の赤外線受光回路４１が携帯電話機６からの室外バーコード３１ａの情報を受信した時にリレーはオンし、室外機３Ａへの給電が行われる。室外機３Ａへの給電が行われた後に、室内機２又は室内機２Ａは表示装置４４及び鳴動装置４５を用いてデータの指定を促す動作を行う。
【００７５】
また、低待機電力のために室内機２又は室内機２Ａに室外給電制御用のリレーが搭載されている場合においてメンテナンス用の室外機用の空気調和機用基板８のデータが未確定であるにもかかわらず、室内機２又は室内機２Ａが通常の運転信号を受けた場合には、その信号を受けて通常運転時と同様に室外給電制御用のリレーはオンする。これにより室内機２又は室内機２Ａと室外機３Ａとの通信が確立し、メンテナンス用の室外機用の空気調和機用基板８のデータが未確定である旨の情報が室内機２又は室内機２Ａに伝わる。この信号を受けて室内機２又は室内機２Ａは表示装置４４及び鳴動装置４５を用いてデータの指定を促す動作を行う。
【００７６】
上述の通り、メンテナンス用の室内機用の空気調和機用基板７は、複数の機種の空気調和機の各々を制御するためのデータを記憶する室内メモリ７３を有する。具体的には、室内メモリ７３は、複数の機種の空気調和機の各々が有する室内機を制御するためのデータを記憶する。そのため、室内機用の制御基板２７が搭載されている室内機２を有する空気調和機１の機種があらかじめ決められた上記の複数の機種のうちのどの機種であっても、室内機用の制御基板２７に不具合が生じて室内機用の制御基板２７を交換する必要が生じた場合、室内機用の制御基板２７をメンテナンス用の室内機用の空気調和機用基板７に交換することができる。
【００７７】
加えて、メンテナンス用の室内機用の空気調和機用基板７に室内機用の制御基板２７が有する機能を発揮させる場合、サーバを必要としない。すなわち、メンテナンス用の室内機用の空気調和機用基板７により、サーバを必要とすることなく、かつ上記の複数の機種の空気調和機の各々に対して十分な数のメンテナンス用の制御基板を必要とすることなく、あらかじめ決められた複数の機種の空気調和機のいずれの室内機に対しても制御基板を迅速に交換することができるという効果が得られる。
【００７８】
同様に、メンテナンス用の室外機用の空気調和機用基板８は、複数の機種の空気調和機の各々を制御するためのデータを記憶する室外メモリ８３を有する。具体的には、室外メモリ８３は、複数の機種の空気調和機の各々が有する室外機を制御するためのデータを記憶する。そのため、室外機用の制御基板３８が搭載されている室外機３を有する空気調和機１の機種があらかじめ決められた上記の複数の機種のうちのどの機種であっても、室外機用の制御基板３８に不具合が生じて室外機用の制御基板３８を交換する必要が生じた場合、室外機用の制御基板３８をメンテナンス用の室外機用の空気調和機用基板８に交換することができる。
【００７９】
加えて、メンテナンス用の室外機用の空気調和機用基板８に室外機用の制御基板３８が有する機能を発揮させる場合、サーバを必要としない。すなわち、メンテナンス用の室外機用の空気調和機用基板８により、サーバを必要とすることなく、かつ上記の複数の機種の空気調和機の各々に対して十分な数のメンテナンス用の制御基板を必要とすることなく、あらかじめ決められた複数の機種の空気調和機のいずれの室外機に対しても制御基板を迅速に交換することができるという効果が得られる。
【００８０】
なお、上述した実施の形態では、室内機２及び室内機２Ａには室内バーコード２１ａが付けられているが、室内バーコード２１ａは室内機２及び室内機２Ａに付けられていなくてもよい。室内バーコード２１ａが室内機２及び室内機２Ａに付けられていない場合、例えば、複数の機種の各々の室内バーコード２１ａが印刷されたシートが用いられる。室内機２及び室内機２Ａの筐体には室内機２及び室内機２Ａの機種を特定する情報が付けられているので、サービスマンは筐体に付けられている情報から室内機２及び室内機２Ａの機種を特定し、シートのなかの特定した機種に対応する室内バーコード２１ａを携帯電話機６に読み取らせてもよい。
【００８１】
同様に、室外機３及び室外機３Ａには室外バーコード３１ａが付けられているが、室外バーコード３１ａは室外機３及び室外機３Ａに付けられていなくてもよい。室外バーコード３１ａが室外機３及び室外機３Ａに付けられていない場合、例えば、複数の機種の各々の室外バーコード３１ａが印刷されたシートが用いられる。室外機３及び室外機３Ａの筐体には室外機３及び室外機３Ａの機種を特定する情報が付けられているので、サービスマンは筐体に付けられている情報から室外機３及び室外機３Ａの機種を特定し、シートのなかの特定した機種に対応する室外バーコード３１ａを携帯電話機６に読み取らせてもよい。
【００８２】
上述した実施の形態では、空気調和機１をメンテナンスする場合、携帯電話機６が用いられる。しかしながら、携帯電話機６は、バーコードを読み取る機能を有するバーコード読取機器に置き換えられてもよい。バーコード読取機器は、カメラを有していて、サービスマンの操作によって、カメラを用いてバーコードを読み取り、読み取ったバーコードが特定する機種を示す情報を含む赤外線を送信する。
【００８３】
上述した実施の形態では、メンテナンス用の室内機用の空気調和機用基板７が赤外線受光回路４１を有するが、メンテナンス用の室内機用の空気調和機用基板７は赤外線受光回路４１を有しなくてもよい。その場合、赤外線受光回路４１は室内機２Ａに設けられる。また、表示装置４４、鳴動装置４５及び室内通信回路７９の一部又は全部は、メンテナンス用の室内機用の空気調和機用基板７とは別基板に設けられてもよい。室外通信回路８１は、メンテナンス用の室外機用の空気調和機用基板８とは別基板に設けられてもよい。
【００８４】
上述した実施の形態では、室内機用の制御基板２７がメンテナンス用の室内機用の空気調和機用基板７に交換される。しかしながら、メンテナンス用の室内機用の空気調和機用基板７が室内機２Ａに搭載されていて、当該メンテナンス用の室内機用の空気調和機用基板７に不具合が生じ、当該メンテナンス用の室内機用の空気調和機用基板７が新たなメンテナンス用の室内機用の空気調和機用基板７に交換されてもよい。同様に、メンテナンス用の室外機用の空気調和機用基板８が室外機３Ａに搭載されていて、当該メンテナンス用の室外機用の空気調和機用基板８に不具合が生じ、当該メンテナンス用の室外機用の空気調和機用基板８が新たなメンテナンス用の室外機用の空気調和機用基板８に交換されてもよい。
【００８５】
機能又はコストに対する市場の要望に応えるため多くの多機を有する上位機種から基本機能のみを有する下位機種がラインナップされている。上位機種の基板に対して下位機種では不要な回路は実装されずに量産される場合もある。また、中位機種においては上記機種から一部の機能を外したものがラインナップされ、上位機種の基板に対して中位機種の基板では不要な回路は実装されずに量産される場合もある。
【００８６】
図６は、量産機種における複数の種類の室内機用の制御基板を示す図である。図６に示すように、４つのシリーズに対応して、第１の室内機用の制御基板２７α、第２の室内機用の制御基板２７β、第３の室内機用の制御基板２７γ及び第４の室内機用の制御基板２７δが、量産の基板として用いられている。当該４つの基板の相違点は、以下の通りである。
【００８７】
図６に示す通り、第１の室内機用の制御基板２７αはＡ回路、Ｂ回路及びＣ回路を有しており、第２の室内機用の制御基板２７βはＡ回路、Ｂ回路、Ｃ回路及びＤ回路を有している。第３の室内機用の制御基板２７γはＡ回路、Ｂ回路、Ｃ回路及びＥ回路を有しており、第４の室内機用の制御基板２７δはＡ回路、Ｂ回路、Ｃ回路、Ｄ回路及びＥ回路を有している。
【００８８】
ここで、Ａ回路、Ｂ回路及びＣ回路は基本回路であって、各シリーズが共通でもつ回路であり、Ａ回路、Ｂ回路及びＣ回路の各々は例えば通信回路、赤外線受信回路又はファンモータ駆動回路である。また、Ｄ回路及びＥ回路は中上位機種がもつメリットアップ機能用の回路であり、Ｄ回路及びＥ回路の各々は例えば人感センサ回路又はフィルタお掃除モータ駆動回路である。そのため、第１の室内機用の制御基板２７αが下位機種用であり、第２の室内機用の制御基板２７β及び第３の室内機用の制御基板２７γが中位機種用であり、第４の室内機用の制御基板２７δが上位機種用である。
【００８９】
それぞれのシリーズにおいて能力の異なる複数の機種がラインナップされているため、それぞれのシリーズごとに量産基板と同一回路をもったメンテナンス用の室内機用の空気調和機用基板７（メンテナンス用の第１の室内機用の空気調和機用基板、メンテナンス用の第２の室内機用の空気調和機用基板、メンテナンス用の第３の室内機用の空気調和機用基板及びメンテナンス用の第４の室内機用の空気調和機用基板）をもつことでもメンテナンス用基板の集約のメリットが得られるが、次のようにすることで更に基板の集約が可能である。
【００９０】
メンテナンス用の第４の室内機用の空気調和機用基板は回路としてフル実装であるためデータを適合させれば第１の室内機、第２の室内機、第３の室内機及び第４の室内機のシリーズのいずれの機種にも使用可能である。
【００９１】
なお、量産機種では不要回路を実装することで量産コストが上昇するため基本的に下位機種に上位機種にも対応可能な基板を用いることはないが、メンテナンス用の空気調和機用基板においては仕様を分けることによる必要な基板の枚数の増加による諸費用（製造、輸送又は保管などによる費用）の増加を抑制できるため、共通化による多少の単価上昇よりもコストメリットが大きくなるため集約を優先する判断が可能である。
【００９２】
上述のように複数のシリーズを集約する場合、携帯電話機６は、室内バーコード２１ａが特定するシリーズを示す情報を含む赤外線を室内機２Ａに出力する。取得部７７は、携帯電話機６が出力した赤外線に含まれる情報が示すシリーズにもしたがってデータを取得する。
【００９３】
回路がフル実装されていなくともメンテナンス用の第３の室内機用の空気調和機用基板が第１の室内機及び第３の室内機のシリーズのいずれの機種にも対応可能であるように、搭載されるメモリの容量に応じて適用可能なシリーズ及び機種数を決めることもできる。また、遠隔操作機器６０からの信号のパターン数又は内外通信のパターン数によっても対応可能機種数が制約を受けるので、それに応じてコストミニマムなメンテナンス基板の仕様を決める必要がある。
【００９４】
メンテナンス用の室外機用の空気調和機用基板８に対してもメンテナンス用の室内機用の空気調和機用基板７と同様に、より多機能な基板にて適用可能なシリーズ又は機種を増やしても良い。
【００９５】
上述した実施の形態では、室内バーコード２１ａ及び室外バーコード３１ａが用いられて、携帯電話機６が、室内バーコード２１ａ及び室外バーコード３１ａを読み取って、室内バーコード２１ａ及び室外バーコード３１ａの各々が特定する機種を示す情報を含む赤外線を室内機２Ａに送信する。しかしながら、室内バーコード２１ａ及び室外バーコード３１ａは用いられなくてもよい。その場合、複数の機種のなかからいずれか１機種を選択させる画面を表示する機能が遠隔操作機器６０に設けられる。サービスマンは、機種を特定する情報が記載された銘板を参照して画面に表示された複数の機種のなかからいずれか１機種を選択し、遠隔操作機器６０に、選択されたいずれか１機種の情報を室内機２Ａに送信させる。
【００９６】
図６に示す４つのシリーズに対応して、メンテナンス用の第１の室内機用の空気調和機用基板、メンテナンス用の第２の室内機用の空気調和機用基板、メンテナンス用の第３の室内機用の空気調和機用基板及びメンテナンス用の第４の室内機用の空気調和機用基板の４個のメンテナンス用の室内機用の空気調和機用基板が用意される場合、４つのシリーズに対応して４個の遠隔操作機器６０が用意されてもよい。４個の遠隔操作機器６０の各々は、いずれか１機種の情報を室内機２Ａに送信する際、対応するシリーズの情報も室内機２Ａに送信する。これにより、４個のシリーズの各々に対応するメンテナンス用の室内機用の空気調和機用基板の機能を設定する際、シリーズの情報の送信が簡便になると共に、シリーズの情報の誤送信を防止することができる。
【００９７】
図２では、メンテナンス用の室内機用の空気調和機用基板７及びメンテナンス用の室外機用の空気調和機用基板８の各々は一枚の基板である。しかしながら、メンテナンス用の室内機用の空気調和機用基板及びメンテナンス用の室外機用の空気調和機用基板の各々は、複数枚の基板で構成されていてもよい。
【００９８】
上述した実施の形態では、メンテナンス用の室内機用の空気調和機用基板７が有する受付部７６、取得部７７及び制御部７８の機能は室内マイコン７２によって実現される。しかしながら、受付部７６、取得部７７及び制御部７８の機能の少なくとも一部は、処理回路６５によって実現されてもよい。図７は、実施の形態に係るメンテナンス用の室内機用の空気調和機用基板７が有する受付部７６、取得部７７及び制御部７８の機能の少なくとも一部が処理回路６５によって実現される場合の処理回路６５を示す図である。同様に、メンテナンス用の室外機用の空気調和機用基板８が有する受付部８６、取得部８７及び制御部８８の機能の少なくとも一部は、処理回路６５と同等の処理回路によって実現されてもよい。
【００９９】
処理回路６５は、専用のハードウェアである。処理回路６５は、例えば、単一回路、複合回路、プログラム化されたプロセッサ、並列プログラム化されたプロセッサ、ＡＳＩＣ（Application  Specific  Integrated  Circuit）、ＦＰＧＡ（Field-Programmable  Gate  Array）、又はこれらを組み合わせたものである。受付部７６、取得部７７及び制御部７８の一部は、残部とは別個の専用のハードウェアであってもよい。受付部８６、取得部８７及び制御部８８の一部も、残部とは別個の専用のハードウェアであってもよい。
【０１００】
受付部７６、取得部７７及び制御部７８の機能の一部は、室内マイコン７２によって実現され、残部は処理回路６５によって実現されてもよい。同様に、受付部８６、取得部８７及び制御部８８の機能の一部は、室外マイコン８２によって実現され、残部は処理回路によって実現されてもよい。
【０１０１】
以上の実施の形態に示した構成は、本発明の内容の一例を示すものであり、別の公知の技術と組み合わせることも可能であるし、本発明の要旨を逸脱しない範囲で、構成の一部を省略又は変更することも可能である。
【符号の説明】
【０１０２】
１  空気調和機、２，２Ａ  室内機、３，３Ａ  室外機、６  携帯電話機、７  メンテナンス用の室内機用の空気調和機用基板、８  メンテナンス用の室外機用の空気調和機用基板、１０  空気調和機のメンテナンスシステム、２１  ラベル、２１ａ  室内バーコード、２２  室内センサ、２３  フラップ、２４  ステッピングモータ、２５  室内ファン、２６  室内ファンモータ、２７  室内機用の制御基板、２７α  第１の室内機用の制御基板、２７β  第２の室内機用の制御基板、２７γ  第３の室内機用の制御基板、２７δ  第４の室内機用の制御基板、３１  ラベル、３１ａ  室外バーコード、３２  室外センサ、３３  コンプレッサ、３４  室外ファン、３５  室外ファンモータ、３６  四方弁、３７  リニア電動弁、３８  室外機用の制御基板、４１  赤外線受光回路、４２，７２  室内マイコン、４３，７３  室内メモリ、４４  表示装置、４５  鳴動装置、４６，７９  室内通信回路、５１，８１  室外通信回路、５２，８２  室外マイコン、５３，８３  室外メモリ、６０  遠隔操作機器、６５  処理回路、７５，８５  記憶部、７６，８６  受付部、７７，８７  取得部、７８，８８  制御部。
【図１】
0006732106.tif 000002
【図２】
0006732106.tif 000003
【図３】
0006732106.tif 000004
【図４】
0006732106.tif 000005
【図５】
0006732106.tif 000006
【図６】
0006732106.tif 000007
【図７】
0006732106.tif 000008